(57)【要約】【課題】  定着液を用いても、染料を急速に沈降させ、ドットゲインを減少させ、彩度の減少を生ずることがないようにしたインクジェット印刷プロセスを提供する。【解決手段】  約４５℃〜約８５℃の温度を有するプリントゾーンにおいて、印刷媒体上に染料ベースのインクおよび定着流体を付着させることにより色空間を向上させるようにした。【選択図】  図１
2005219496.tif 000002
【特許請求の範囲】
【請求項１】
約４５℃〜約８５℃の温度を有するプリントゾーンで、印刷媒体上に染料ベースのインクおよび定着流体を付着させることを含む色空間を向上させる方法。
【請求項２】
プリントゾーンで、印刷媒体上で定着流体を下塗り印刷すること、
前記印刷媒体上の前記定着流体上に染料ベースのインクを付着させること、および、
前記下塗り印刷中、および、前記付着中に、前記プリントゾーンを約４５℃〜約８５℃の温度に加熱することを含むインクジェット印刷する方法。
【請求項３】
インク塗布量の増加に関係なく、彩度を維持するか、または、向上させることが可能であり、
最高約８５℃まで加熱されるように構成されたプリントゾーンと、
該加熱されたプリントゾーンで、染料ベースのインクおよび定着液を印刷媒体に塗布するように構成されたペンセットとを備える印刷システム。
【請求項４】
前記プリントゾーンは約４５℃〜約５５℃の温度を有する請求項１または２に記載の方法。
【請求項５】
染料ベースのインクおよび定着流体を前記付着させることは、前記印刷媒体上に前記定着流体を下塗り印刷すること、および、次に、前記印刷媒体上に前記染料ベースのインクを付着させることをさらに含む請求項１に記載の色空間を向上させる方法。
【請求項６】
前記付着した染料ベースのインクの上に前記定着流体層を付着させることをさらに含む請求項１または２に記載の方法。
【請求項７】
前記印刷媒体は、普通紙か光沢媒体のいずれかを備える請求項１ないし３のいずれか１項に記載の方法および印刷システム。
【請求項８】
インクジェットインクの前記付着後に、前記プリントゾーンに熱を加えることをさらに含む請求項１または２に記載の方法。
【請求項９】
染料ベースのインクおよび定着流体の前記付着の前に、前記プリントゾーンに熱を加えることをさらに含む請求項１または２に記載の方法。
【請求項１０】
前記付着は、１パスプリントモード、２パスプリントモード、または、４パスプリントモードによって行われる請求項１または２に記載の方法。
【発明の詳細な説明】
【技術分野】
【０００１】
本発明は、熱を用いて、反応性インクの色空間を向上させる方法および印刷システムに関する。
【背景技術】
【０００２】
インクジェット印刷は、インクジェットプリンタの低価格性、印刷画像の品質の向上、および比較的雑音のない動作の結果、家庭およびオフィスで印刷する際によく使われる代替法である。インクジェト技術における最近の開発によって、消費者は、インクジェット印刷を用いて、「普通紙」すなわち非光沢媒体上に従来の文書を作成し、かつ、光沢媒体（ｇｌｏｓｓｙ  ｍｅｄｉａ）上に高品質な画像またはパンフレットを作成することができる。インクジェト印刷の研究および開発は、インクジェトプリンタおよび印刷プロセスにおける手頃な価格を維持しながら、インクジェット印刷の品質を改良するために引き続き行われている。
【０００３】
カラー画像を印刷するために、インクジェット印刷は、シアン、マゼンタ、イエロー、ならびに、オプションとして、ブラック、ライトシアン、およびライトマゼンタのインクジェットインクの組み合わせを用いて、カラースペクトルのカラーを生成する。カラーインクジェットインクは通常、水性ベースであり、水性インクビヒクルにおいて、染料または顔料などの着色剤を溶解または定量供給することによって調製される。インクビヒクルは、当該技術分野において知られているように、カラーインクジェットインクの用途および所望の特性に応じた付加成分を含む。水ベースのインクは一般に、インクジェット印刷業界で好まれる。それは、水が、低価格で容易に入手でき、化学的に無反応性であり、毒性がなく、環境にやさしいからである。
【０００４】
しかし、水ベースのインクは、印刷済み画像の水不溶性(waterfastness)の点で制限される可能性がある。着色剤は不動態化されず、それによって、印刷済み画像が水を受けると画像が劣化する。したがって、水性ベースのインクの水不溶性を増加させる方法を開発するという要求が存在する。
【発明の開示】
【発明が解決しようとする課題】
【０００５】
水ベースのインクの欠点に対処するために、インクを付着させる前か後のいずれかに、「定着液」を印刷媒体上に付着させる方法が開発された。
【０００６】
定着液は通常、着色剤の移動度を減じ、インク内に存在する着色剤と反応して、画像をより水不溶性にする、不溶性の定着液−着色剤複合体を生成する成分を含む。
【０００７】
耐久性を実現するために、定着液は、染料ベースのカラーインク系と共に用いられてもよいが、定着液は、染料を急速に沈降させ、ドットゲインを減少させ、彩度の減少を生ずる。したがって、インクジェット印刷プロセスにおいて依然として改善が必要とされていることを理解することができる。
【課題を解決するための手段】
【０００８】
本発明は、熱を用いて、反応性インクの色空間を向上させる方法に関する。加熱されたプリントゾーンを使用して、印刷中に定着液が用いられる時に起こる、色空間の低下が補償される。プリントゾーンは、定着液および染料ベースのインクの付着中に加熱される。一実施形態において、プリントゾーンは、約４５℃〜約８５℃の温度に加熱される。
【０００９】
本発明はまた、インク塗布量の増加に関係なく、彩度を維持するか、または、向上させることが可能な印刷システムを含む。システムは、最高約８５℃まで加熱されるように構成されたプリントゾーンと、加熱されたプリントゾーンにおいて、染料ベースのインクおよび定着液を印刷媒体に塗布するように構成されたペンセットとを備える。
【００１０】
本明細書は、本発明と見なされるものを詳細に指摘し、かつ、明確に請求する特許請求の範囲で始まる(conclude with)が、添付図面と共に読まれると、本発明の以下の説明からより容易に本発明を確認することができる。
【発明を実施するための最良の形態】
【００１１】
本発明は、向上した色空間を示すインクジェット印刷用のカラー系を提供する。定着液は、耐久性を実現するために、染料ベースのカラーインク系と共に用いられてもよい。しかし、定着液は、染料を急速に沈降させ、ドットゲインを減少させ、彩度の減少を生ずる傾向がある。本発明は、印刷中に熱を加えることによって向上した色空間を提供する。
【００１２】
本明細書で用いられるように、「ドットゲイン（ｄｏｔ  ｇａｉｎ）」は、初期の、球形液滴直径を越える、ハーフトーンドットサイズ（ｈａｌｆｔｏｎｅ  ｄｏｔ  ｓｉｚｅ）の正味のパーセント増加のことを言う。「彩度（ｃｈｒｏｍａ）」は、同じ明度（ＡＳＴＭ  Ｅ  ２８４）のグレイからの、カラーの逸脱度を示すのに用いられるカラー属性のことを言う。「プリントモード（ｐｒｉｎｔ  ｍｏｄｅ）」は、所定回数パス(the number of passes)の印刷のことを言う。ｎパスプリントモード（ｎ−ｐａｓｓ  ｐｒｉｎｔ  ｍｏｄｅ）は、一定量のインクおよび定着液の１／ｎを同じパスで利用することに対応する。プロセスは、印刷中「ｎ」回繰り返される。定着液は、インクが印刷される前または後に印刷されてもよい。
【００１３】
インクおよび定着液混合物
特定の一実施形態において、定着液は、印刷プロセス中に染料ベースのインクと共に用いられる。「定着液」は一般に、カラー付きインク滴の下に塗布することができる材料（プリコートまたはアンダーコート）、および、カラー付きインク滴の上に塗布することができる材料（ポストコートまたはオーバコート）である。定着液は、陽イオンのポリマーからなる場合が多く、着色剤の移動度を減らす、すなわち、印刷媒体上にインクを「定着させる」のに用いられる。
【００１４】
本発明のインクおよび定着液混合物は、標準的な染料ベースのまたは顔料ベースのインクジェットインクおよび定着液溶液を含んでもよい。非制限的な例として、定着液は、酸、塩、有機対イオンを含む水ベースの溶液および高分子電解質を含んでもよい。定着液は、微生物の成長を抑制する殺菌剤、重金属不純物の有害な作用をなくすキレート剤（たとえば、ＥＤＴＡ）、緩衝剤、紫外線吸収剤、腐食抑制剤、粘度調節剤などの他の成分を含んでもよい。これらの成分は、インクおよび定着液混合物の種々の特性を改善するのに付加することができる。
【００１５】
別の実施形態において、定着液は、インクに反応する成分を含む。成分は、インクの電荷と反対の電荷を有してもよい。たとえば、インクが陰イオンである場合、定着液は、陽イオン成分を含んでもよい。さらに、定着液（ｆｉｘｅｒ）は、実質的に着色剤がないか、または、可視光を吸収しない着色剤を含んでもよい。
【００１６】
定着流体（ｆｉｘｅｒ  ｆｌｕｉｄ）はまた、塩または酸などの沈降促進剤(precipitating agent)を含んでもよい。塩は、カルシウム、マグネシウム、アルミニウム、またはそれらの組み合わせなどの陽イオンを含んでもよい。塩は、限定はしないが、硝酸カルシウム、硝酸マグネシウム、または硝酸アンモニウムを含んでもよい。酸は、任意の鉱酸、あるいは、琥珀酸またはグルタル酸などの有機酸であってよい。沈降促進剤は、インクの導電性またはｐＨを変えるのに用いられてもよく、インク内の顔料が、印刷媒体の表面上で沈降するようにさせる。定着液は、印刷媒体上で、インクに対して上塗り印刷（overprint）されてもよく、かつ／または下塗り印刷（ｕｎｄｅｒｐｒｉｎｔ）することができる。したがって、定着流体は、５番目のペンなどの、プリンタ内の追加のペン内に存在することができる。
【００１７】
印刷媒体
インクジェットインクおよび／または定着液がその上に付着する可能性がある印刷媒体は、任意所望の印刷媒体であってよい。特定の実施形態において、印刷媒体は、普通の印刷媒体であるか、または、工業的にコーティングされたパンフレット印刷媒体であってよい。普通の印刷媒体は当該技術分野において知られており、限定はしないが、Ｉｎｔｅｒｎａｔｉｏｎａｌ  Ｐａｐｅｒ  Ｃｏ．（コネチカット州、スタンフォード）（Ｓｔａｍｆｏｒｄ，ＣＴ）によって生産されるＨａｍｍｅｒｍｉｌｌ（登録商標）Ｆｏｒｅ  ＤＰ紙、および、Ｈｅｗｌｅｔｔ−Ｐａｃｋａｒｄ  Ｉｎｃ．（カリフォルニア州、パロアルト）（Ｐａｌｏ  Ａｌｔｏ，ＣＡ）によって生産されるＨＰ  Ｍｕｌｔｉ−Ｐｕｒｐｏｓｅ紙を含んでよい。パンフレットまたは商業チラシを印刷するのに用いられるタイプなどの、工業的にコーティングされたパンフレット印刷媒体は、当該技術分野においてもよく知られており、通常疎水性であり、非多孔性であるか、または、普通紙（ｐｌａｉｎ  ｐａｐｅｒ）に比べて多孔性が少なく、ＳＤ  Ｗａｒｒｅｎ  Ｃｏｍｐａｎｙ（ミシガン州、マスキーゴン）（Ｍｕｓｋｅｇｏｎ，ＭＩ）によって生産される「Ｌｕｓｔｒｏ  Ｌａｓｅｒ」を含む。
【００１８】
インクは、従来のインクジェット印刷技法によって印刷媒体上に付着することができる。たとえば、インクは、Ｈｅｗｌｅｔｔ−Ｐａｃｋａｒｄ  Ｉｎｃ．  （カリフォルニア州、パロアルト）から入手可能な、ＨＰ  ＤｅｓｋＪｅｔ  ｐｒｉｎｔｅｒなどのインクジェットプリンタによって付着することができる。インクは、定着流体と共に印刷媒体上に付着することができる。
【００１９】
インクジェット印刷は、マイクロプロセッサによって生成された電気信号に応答して、印刷媒体上にインクの小滴を噴射することを伴うことができる。通常、インクジェットプリンタは、印刷媒体の表面に対して移動するキャリッジ上に搭載されたペンのセットを利用する。本発明のペンのセットは、たとえば、５個のペン（シアンインク、マゼンタインク、イエローインク、ブラックインク、および定着液）を含んでもよい。それぞれのペンは、インクまたは定着液の液滴がそこを通って噴射される非常に小さなノズル（通常、１０〜５０μｍ直径）を有するオリフィス板を有するプリントヘッドを含んでもよい。これらのノズルに隣接して、インクまたは定着液が噴射される前に貯えられるチャンバがある。
【００２０】
特定の実施形態において、インクおよび定着液は、個別のインクジェットペン内に収納され（ｐｌａｃｅｄ）、同じパスまたは異なるパス（図１および図２を参照されたい）で印刷媒体上に付着する。たとえば、定着液は、インクを下塗りする（ｕｎｄｅｒｃｏａｔ）のに用いることができる。さらに、または、あるいは、定着液は、インクを上塗りする（ｏｖｅｒｃｏａｔ）のに用いられることができる。いくつかのパスで印刷が行われる場合、インク（Ｉ）および定着液（Ｆ）は、多層方式で（すなわち、Ｆ−Ｉ−Ｆ−Ｉ−Ｆ−Ｉ）付着することができる。異なるカラー（たとえば、シアン（Ｃ）、マゼンタ（Ｍ）、およびイエロー（Ｙ））のインクが、同じパスまたは異なるパスに付着することができること、および、定着液をさらに付着した状態か、または、付着しない状態の多層方式（すなわち、Ｃ−Ｍ−Ｙ、Ｆ−Ｃ−Ｍ−Ｙ−Ｆ、Ｆ−Ｃ−Ｆ−Ｍ−Ｆ−Ｙ−Ｆなど）で付着することができることがさらに理解されるであろう。定着液が、インクジェット印刷法によって必ずしも印刷媒体上に付着する必要がないことが理解されるであろう。定着液は、たとえば、定着液を含浸したローラを用いて、印刷媒体上に付着することができる。
【００２１】
プリントゾーンは、定着液およびインクの塗布中に加熱される。実施形態において、プリントゾーンはまた、定着液および／またはインクを付着する前に、および／または後で加熱することができる（図１および図２を参照されたい）。プリントゾーンは、たとえば、熱い空気を直接印刷媒体上に吹き付けることによって、加熱することができる。あるいは、またはさらに、プリントゾーンは、赤外線放射などの照射によってか、または、加熱ローラを用いることによって加熱されるであろう。プリントゾーンはまた、インクおよび／または定着液を付着する前に予備加熱することができることが理解されるであろう。乾燥時間をなお一層短縮するために、プリントゾーンはまた、インクおよび／または定着液が一旦付着すると、一定時間の間加熱することができる。プリントゾーンは、インクおよび／または定着液の付着工程間で加熱してもよいか、あるいは、プリントゾーンは、インクおよび／または定着液の付着工程が全て一旦終了後、さらに加熱してもよいことが理解されるであろう。実施形態において、プリントゾーンは、印刷中に、室温から最高約８５℃まで加熱される。
〔実施例〕
【００２２】
以下の実施例は、印刷中にプリントゾーンを加熱することによって、画像の品質および性能の向上が達成されることを示す。以下の実施例は、本発明を制限するものとして考えられるべきではなく、現在の実験的データに基づいて、最もよく知られている画像品質を作成する方法を単に教示すべきである。
〔実施例１〕
【００２３】
インクおよび定着液配合物
実施例２〜実施例５についてのインクおよび定着液配合物は、表１、表２、および表３に列挙するように調製された。定着液中のＩＲマーカはオプションであった。
【００２４】
【表１】
2005219496.tif 000003
【００２５】
【表２】
2005219496.tif 000004
【００２６】
【表３】
2005219496.tif 000005
〔実施例２〕
【００２７】
印刷試料生成
画像は、１パスプリントモードを有する、改良型ＨＰ  ｂｕｓｉｎｅｓｓ  ｉｎｋｊｅｔ  ２２００  ｐｒｉｎｔｅｒおよびインクジェットペンを用いて、室温（２５℃）および８５℃で印刷された。インクジェットペン（〜７ｐｌ）は、４ドロップ／３００ｄｐｉで、定着液および印刷インクを下塗り印刷するのに用いられた。プリンタは、非加熱（室温（２５℃））状態または加熱（８５℃）状態下で動作した。画像は、Ｈａｍｍｅｒｍｉｌｌ（登録商標）Ｆｏｒｅ  ＤＰ（普通紙）およびＬｕｓｔｒｏ  Ｌａｓｅｒ（工業的にコーティングされたパンフレット媒体）上に印刷されたが、インクＢは、Ｌｕｓｔｒｏ  Ｌａｓｅｒ上での印刷用に設計されなかった。画像は、別途指示しない限り、１パスプリントモードを用いて印刷された。定着液とインクの割合は１：１である。「定着液下塗り印刷」は、最初に定着液を印刷し、その後同じ量のインクを印刷することを言う。
〔実施例４〕
【００２８】
Ｌ*ａ*ｂ*試験（Ｌ*ａ*ｂ* ｔｅｓｔｉｎｇ）
Ｌ*ａ*ｂ*値は、市販の熱量計および標準的なカラー測定手順を用いて測定された。任意所与の知覚されるカラーは、当該技術分野においてよく知られている、ＣＩＥＬＡＢなどの色空間のうちの任意の１つを用いて記述されることができる。ＣＩＥＬＡＢ色空間において、カラーは、３つの項Ｌ*、ａ*、およびｂ*を用いて規定される。Ｌ*は、カラーの明度を規定し、ゼロ（ブラック）から１００（ホワイト）まである。項ａ*およびｂ*は共に色度を規定する。項ａ*は、負数（グリーン）から正数（レッド）まである。項ｂ*は、負数（ブルー）から正数（イエロー）まである。ａ*およびｂ*値は、当該技術分野において知られるように、市販の熱量計および標準的なカラー測定手順を用いて測定された。これらの値は、特定の染料のセットが生成することができる投影エリアを計算するのに用いられた。エリアが大きくなればなるほど、染料のセットが生成することができるカラーが多くなる。
【００２９】
インクＡおよびインクＢのカラーインク／定着液の投影されたＬ*ａ*ｂ*エリアおよび投影されたエリアのサイズが図３に示される。普通紙に関して最も大きな投影エリアは、８５℃のインクＡと、それに続く、８５℃のインクＢを用いたものであった（図３、最下段の図）。全体として、最も大きな投影エリアは、８５℃の、工業的にコーティングされたパンフレット媒体上のインクＡであった（図３、最下段の図）。インクＡの投影エリアは、上昇した温度で両方の媒体上で改善された。インクＢは、工業的にコーティングされたパンフレット媒体上での印刷用に設計されておらず、工業的にコーティングされたパンフレット媒体上で、高温での投影エリアの増加を示さなかった。
〔実施例６〕
【００３０】
インク配合物
実施例７〜実施例１１についての、インクおよび定着液配合物は、表１に列挙するように調製された。インクｐＨは、ＮａＯＨ／ＨＮＯ3を用いて７に調整された。
〔実施例７〕
【００３１】
印刷試料生成
印刷品質を判断するために、２０ｉｐｓで印刷される、改良型ＨＰ  ｂｕｓｉｎｅｓｓ  ｉｎｋｊｅｔ  ２２００  ｐｒｉｎｔｅｒを用いて画像が印刷された。下塗り印刷プリントモードは、Ｋスロットに定着液ペンを、Ｃスロットにカラーペンを設置し、残りのスロットを空のままにすることによって達成された。標準的なインクジェットインクペン（〜７ｐｌ）は、インクおよび定着液を印刷するのに用いられた。プリンタは、非加熱状態（２５℃）、４５℃、５５℃、および８５℃で動作した。普通紙（Ｈａｍｍｅｒｍｉｌｌ（登録商標）Ｆｏｒｅ  ＤＰ）および工業的にコーティングされたパンフレット媒体（Ｌｕｓｔｒｏ  Ｌａｓｅｒ）が用いられた。
【００３２】
１パスプリントモードにおいて、定着液およびインク滴は全て、定着液滴を最初に発射するようにして、１パスで発射された。２パスプリントモードにおいて、定着液滴の５０％が発射され、その直後にインク滴の５０％が発射された。定着液およびインク滴の他の半分は、その後のパスにおいて、同じ方法で発射された。４パスプリントモードにおいて、定着液滴の２５％が発射され、その直後にインク滴の２５％が発射された。このプロセスは、その後のパスにおいて３回繰り返された。
〔実施例８〕
【００３３】
単一のカラー画像の品質および結果
Ｌ*ａ*ｂ*値は、市販の熱量計および標準的なカラー測定手順を用いて測定された。任意所与の知覚されるカラーは、当該技術分野においてよく知られている、ＣＩＥＬＡＢなどの色空間のうちの任意の１つを用いて記述されることができる。ＣＩＥＬＡＢ色空間において、カラーは、３つの項Ｌ*、ａ*、およびｂ*を用いて規定される。これらの値は、特定の染料のセットが生成することができる空間の量を計算するのに用いられた。量が大きくなればなるほど、染料のセットが生成することができるカラーが多くなる。したがって、本明細書で用いられるように、「色域体積」は、特定の印刷システム内で印刷されることができる視覚的に異なるカラーの数のことを言う。
【００３４】
全体のカラー性能の場合、色域体積は、８個のカラー（ＣＭＹＫＲＧＢＷ）の（Ｘ−Ｒｉｔｅ  Ｄ５０、１９３１  ＣＩＥ  ２°  オブザーバ）を用いて、Ｌ*ａ*およびｂ*から評価される。両面がコーティングなしの用紙上でのブラックについてのＬ*ａ*およびｂ*値は、２９．３２、−１．４４、および０．６６であると想定された。全ての媒体がコーティングされた用紙上でのブラックについてのＬ*ａ*およびｂ*値は、１２．４９、−０．０５、および２．１８であると想定された。これらの値は、個別の測定から導出された。ブラックについての同じ値は、種々の温度における試料の印刷についての８点評価に用いられた。
【００３５】
普通紙についてのパーセントインクカバリジの関数としてのカラー彩度が、それぞれ、シアン、マゼンタ、およびイエローインクについて、図４、図５、および図６の左欄に示される。一般に、より高い彩度は高品質の印刷を伴う。図４は、シアンの彩度が、プリントゾーンの温度に全く無関係であることを示す。図５は、マゼンタの場合、低い温度は、インクカバリジが低い領域においてより高い彩度を与えたが、高い温度は、インクカバリジが高い領域においてわずかに高い彩度を与えたことを示す。イエローの場合、図６に示すように、高い温度はより高い彩度を与えた。５５℃での印刷は、特にマルチパス印刷を用いる８５℃での印刷と同じ彩度を与える。いかし、パスの回数を増やすことは一般に、プリントゾーンの温度にかかわらず、彩度を増加させる。
【００３６】
普通紙上の彩度に対する、温度およびプリントモードの影響が、８４ｐｌ／３００ｄｐｉの全流体負荷における図７（左欄）に示される。シアンは、両方の要素に全く無関係であった。マゼンタおよびイエローの場合、温度を５５℃に上げることによって、ほぼ２〜３彩度単位の増大が見られた。同様に、パスの数を増やすことによって、同じ彩度の増大が見られた。カラー彩度に対する温度およびプリントモードの影響は、加法的であるように見えた。
【００３７】
光沢媒体についてのパーセントインクカバリジの関数としてのカラー彩度が、それぞれ、シアン、マゼンタ、およびイエローインクについて、図４〜図６の右欄に示される。Ｌｕｓｔｒｏ  Ｌａｓｅｒについて、より強い温度依存性が見られた。室温から５５℃へ進行する大きな彩度の増加があり、ほとんどの場合、５５℃における彩度は、８５℃における彩度と同じであった。
【００３８】
光沢媒体上の彩度に対する、温度およびプリントモードの影響が、８４ｐｌ／３００ｄｐｉの全流体負荷における図７（右欄）に示される。シアンは、両方の要素に最も小さい依存性を示した。５５℃で印刷すると、マゼンタは５彩度単位ほど増加し、イエローは最大１０彩度単位まで増加した。イエローの場合、室温から４５℃へ進行する彩度の大きな増加が見られ、その彩度は、温度がさらに上昇してもそれほど増加しなかった。プリントゾーンの温度を上げることはまた、特に、マゼンタおよびイエローについて、彩度の飽和を加速した。したがって、特定の高い温度で印刷すると、少ないインクで、より高いか、または等価な彩度が得られる場合がある。
〔実施例９〕
【００３９】
複数のカラー画像の品質および結果
１パスプリントモードを用いた、全色空間に対する温度の影響は、図８に示される。温度が室温（２５℃）から８５℃まで上昇するにつれて、色域体積は、普通紙および光沢媒体の両方について増加した。この影響は、工業的にコーティングされたパンフレット媒体（Ｌｕｓｔｒｏ  Ｌａｓｅｒ）についてより顕著であった。結果として、Ｌｕｓｔｒｏ  Ｌａｓｅｒについて、色域体積の総合的な見積もりは２５℃〜５５℃の温度について増加した。しかし、５５℃における色域体積の総合的な見積もりは８５℃における見積もりと同じであった。
〔実施例１０〕
【００４０】
画像のエッジの品質および結果
図９、図１０、図１１、および図１２に示す顕微鏡写真は、耐久性バーのうちの１つをズームインすることによって得られた。バーのインク濃度は、等しい量の定着液を用いて２００％（５６ｐｌ／３００ｄｐｉのインク）であった。耐久性バーはまた、定着液が周辺にブルーミングする２画素を有する。
【００４１】
温度は、エッジの品質に対してわずかしか影響を示さなかった。Ｈａｍｍｅｒｍｉｌｌ（登録商標）Ｆｏｒｅ  ＤＰ紙について、温度の上昇は、シアンのエッジ品質を多少低下させた。マゼンタは、５５℃におけるエッジ品質が多少よかった。しかし、温度の影響は、プリントモードの影響に比べて比較的軽微であった。Ｌｕｓｔｒｏ  Ｌａｓｅｒについて、シアンおよびイエローのエッジ品質は、温度の上昇に伴って改善された。マゼンタのエッジ品質は、温度の上昇に伴って低下した。
【００４２】
任意の特定の理論に限定されることなく、温度の軽微な影響は、温度依存性のある、少なくとも２つの競合するプロセスによって説明されてもよい。特に、定着液のブルーミングによってエッジ品質を悪化させる場合がある、温度の上昇に伴う沈降レートの減少が存在したことが考えられる。逆の影響は、エッジ品質を改善する可能性が高い、温度の上昇に伴う液体浸透の増大、ドットの拡散、および乾燥であった。しかし、両方の影響は、カラー彩度を改善するのを利するように働く。温度を上げなくても、液体浸透がすでに十分に行き渡っている、Ｈａｍｍｅｒｍｉｌｌ（登録商標）Ｆｏｒｅ  ＤＰ紙などの多孔性が著しい媒体について、影響は、非常に軽微であり、異なるインクを用いると多少変わった。Ｌｕｓｔｒｏ  Ｌａｓｅｒなどの低速浸透性媒体について、高い有機環境における定着液／染料複合体の低い沈降レートおよび高い溶解性のために、１パスプリントモードを用いると、温度の上昇に伴ってエッジ品質の低下が見られた。
〔実施例１１〕
【００４３】
ストライクスルー(strikethrough)測定値
ストライクスルー測定値を求めるために、インクが普通紙上に付着され、染み込まされた。用紙の裏面からのＯＤ測定値が、ＭａｃＢｅｔｈ濃度計を用いて得られた。読み取り値が小さければ小さいほど、プリント画像の品質が高い。
【００４４】
カラーフィルターなしで、ストライクスルーが測定され、媒体補正された。２５、５０、７５、１００、１５０、および２００％のインク濃度（同じ量の定着液を用いた、インクの７、１４、２１、２８、４２、および５６ｐｌ／３００ｄｐｉ）のストライクスルーが測定された。Ｌｕｓｔｒｏ  Ｌａｓｅｒ媒体は、媒体が非常に不透明なため、ストライクスルーについて評価されなかった。
【００４５】
ストライクスルーは、画像のＬ*に対してプロットされ、図１３に示される。プリントゾーンの温度の上昇は、１パスプリントモードを用いると、高いインクカバリジエリアにおいて、シアンおよびマゼンタについてストライクスルー（３０〜６０ｍＯＤ）を減少させた。プリントゾーンの温度が一旦４５℃を超えると、ストライクスルーのさらなる改善は見られなかった。パスの回数を増やすことは、ストライクスルーを減少させるのに多少効果があった。１パスプリントモードから２パスプリントモードへ進行する４０〜７０ｍＯＤのストライクスルーの減少が見られた。
【００４６】
図１３を参照すると、シアンの場合、最もよいストライクスルー値は、８５℃で、かつ、２パス印刷を用いると見られた。４５℃〜５５℃における印刷は、カラーおよびストライクスルーにおける大幅な改善を与えた。さらなる加熱はまた、出力を乾燥させる時に必須であった。
【図面の簡単な説明】
【００４７】
【図１】本発明の方法の実施形態を示すフローチャートである。
【図２】本発明に含まれてもよいオプションの、印刷後加熱工程を示すフローチャートである。
【図３】本発明の実施形態による、室温（ＲＴ）および８５℃における、普通紙および工業的にコーティングされたパンフレット紙についての、対応する定着液で下塗り印刷されたインクＡおよびインクＢの投影されたＬ*ａ*ｂ*エリアおよび投影されたエリアのサイズを示すグラフである。図３（ａ）は、普通紙（Ｈａｍｍｅｒｍｉｌ  Ｆｏｒｅ  ＤＰ）に関するインクＡ、インクＢのＬ*ａ*ｂ*エリアを示すグラフである。図３（ｂ）は、パンフレット紙（Ｌｕｓｔｒｏ  Ｌａｓｅｒ）に関するインクＡ、インクＢのＬ*ａ*ｂ*エリアを示すグラフである。図３（ｃ）は、投影されたエリアのサイズを示すグラフである。
【図４】本発明の実施形態による、普通紙（左欄）および工業的にコーティングされたパンフレット媒体（右欄）についての、パーセントインクカバリジの関数としてのシアン彩度を示す図である。種々のプリントゾーン温度において印刷するパスの回数の増加に伴う彩度に対する影響を示すグラフである。図４（ａ）は、普通紙（Ｈａｍｍｅｒｍｉｌ  Ｆｏｒｅ  ＤＰ）に関する１パスプリントモードのパーセントインクカバリジの関数としてのシアン彩度を示すグラフである。図４（ｂ）は、パンフレット紙（Ｌｕｓｔｒｏ  Ｌａｓｅｒ）に関する１パスプリントモードのパーセントインクカバリジの関数としてのシアン彩度を示すグラフである。図４（ｃ）は、普通紙（Ｈａｍｍｅｒｍｉｌ  Ｆｏｒｅ  ＤＰ）に関する２パスプリントモードのパーセントインクカバリジの関数としてのシアン彩度を示すグラフである。図４（ｄ）は、パンフレット紙（Ｌｕｓｔｒｏ  Ｌａｓｅｒ）に関する２パスプリントモードのパーセントインクカバリジの関数としてのシアン彩度を示すグラフである。図４（ｅ）は、普通紙（Ｈａｍｍｅｒｍｉｌ  Ｆｏｒｅ  ＤＰ）に関する２パスプリントモードのパーセントインクカバリジの関数としてのシアン彩度を示すグラフである。図４（ｆ）は、パンフレット紙（Ｌｕｓｔｒｏ  Ｌａｓｅｒ）に関する２パスプリントモードのパーセントインクカバリジの関数としてのシアン彩度を示すグラフである。
【図５】本発明の実施形態による、普通紙（左欄）および工業的にコーティングされたパンフレット媒体（右欄）についての、パーセントインクカバリジの関数としてのマゼンタ彩度を示す図である。種々のプリントゾーン温度において印刷するパスの回数の増加に伴う彩度に対する影響が示される。図５（ａ）は、普通紙（Ｈａｍｍｅｒｍｉｌ  Ｆｏｒｅ  ＤＰ）に関する１パスプリントモードのパーセントインクカバリジの関数としてのマゼンタ彩度を示すグラフである。図５（ｂ）は、パンフレット紙（Ｌｕｓｔｒｏ  Ｌａｓｅｒ）に関する１パスプリントモードのパーセントインクカバリジの関数としてのマゼンタ彩度を示すグラフである。図５（ｃ）は、普通紙（Ｈａｍｍｅｒｍｉｌ  Ｆｏｒｅ  ＤＰ）に関する２パスプリントモードのパーセントインクカバリジの関数としてのマゼンタ彩度を示すグラフである。図５（ｄ）は、パンフレット紙（Ｌｕｓｔｒｏ  Ｌａｓｅｒ）に関する２パスプリントモードのパーセントインクカバリジの関数としてのマゼンタ彩度を示すグラフである。図５（ｅ）は、普通紙（Ｈａｍｍｅｒｍｉｌ  Ｆｏｒｅ  ＤＰ）に関する２パスプリントモードのパーセントインクカバリジの関数としてのマゼンタ彩度を示すグラフである。図５（ｆ）は、パンフレット紙（Ｌｕｓｔｒｏ  Ｌａｓｅｒ）に関する２パスプリントモードのパーセントインクカバリジの関数としてのマゼンタ彩度を示すグラフである。
【図６】本発明の実施形態による、普通紙（左欄）および工業的にコーティングされたパンフレット媒体（右欄）についての、パーセントインクカバリジの関数としてのイエロー彩度を示す図である。種々のプリントゾーン温度において印刷するパスの回数の増加に伴う彩度に対する影響が示される。図６（ａ）は、普通紙（Ｈａｍｍｅｒｍｉｌ  Ｆｏｒｅ  ＤＰ）に関する１パスプリントモードのパーセントインクカバリジの関数としてのイエロー彩度を示すグラフである。図６（ｂ）は、パンフレット紙（Ｌｕｓｔｒｏ  Ｌａｓｅｒ）に関する１パスプリントモードのパーセントインクカバリジの関数としてのイエロー彩度を示すグラフである。図６（ｃ）は、普通紙（Ｈａｍｍｅｒｍｉｌ  Ｆｏｒｅ  ＤＰ）に関する２パスプリントモードのパーセントインクカバリジの関数としてのイエロー彩度を示すグラフである。図６（ｄ）は、パンフレット紙（Ｌｕｓｔｒｏ  Ｌａｓｅｒ）に関する２パスプリントモードのパーセントインクカバリジの関数としてのイエロー彩度を示すグラフである。図６（ｅ）は、普通紙（Ｈａｍｍｅｒｍｉｌ  Ｆｏｒｅ  ＤＰ）に関する２パスプリントモードのパーセントインクカバリジの関数としてのイエロー彩度を示すグラフである。図６（ｆ）は、パンフレット紙（Ｌｕｓｔｒｏ  Ｌａｓｅｒ）に関する２パスプリントモードのパーセントインクカバリジの関数としてのイエロー彩度を示すグラフである。
【図７】本発明の実施形態による、１パス（最上列）、２パス（中央列）、および４パス（最下列）プリントモードを用いた、８４ｐｌ／３００ｄｐｉ（ドット／インチ）の流体負荷（定着液を有するインク）におけるカラー彩度のスナップショット（ｓｎａｐｓｈｏｔ）を示す図である。左欄は、普通紙についての比較を表し、右欄は、工業的にコーティングされたパンフレット媒体についての比較を表す。図７（ａ）は、普通紙（Ｈａｍｍｅｒｍｉｌ  Ｆｏｒｅ  ＤＰ）に関する１パスプリントモードを用いた、８４ｐｌ／３００ｄｐｉ（ドット／インチ）の流体負荷（定着液を有するインク）におけるカラー彩度のスナップショット（ｓｎａｐｓｈｏｔ）を示すグラフである。図７（ｂ）は、パンフレット紙（Ｌｕｓｔｒｏ  Ｌａｓｅｒ）に関する１パスプリントモードを用いた、８４ｐｌ／３００ｄｐｉ（ドット／インチ）の流体負荷（定着液を有するインク）におけるカラー彩度のスナップショット（ｓｎａｐｓｈｏｔ）を示すグラフである。図７（ｃ）は、普通紙（Ｈａｍｍｅｒｍｉｌ  Ｆｏｒｅ  ＤＰ）に関する２パスプリントモードを用いた、８４ｐｌ／３００ｄｐｉ（ドット／インチ）の流体負荷（定着液を有するインク）におけるカラー彩度のスナップショット（ｓｎａｐｓｈｏｔ）を示すグラフである。図７（ｄ）は、パンフレット紙（Ｌｕｓｔｒｏ  Ｌａｓｅｒ）に関する２パスプリントモードを用いた、８４ｐｌ／３００ｄｐｉ（ドット／インチ）の流体負荷（定着液を有するインク）におけるカラー彩度のスナップショット（ｓｎａｐｓｈｏｔ）を示すグラフである。図７（ｅ）は、普通紙（Ｈａｍｍｅｒｍｉｌ  Ｆｏｒｅ  ＤＰ）に関する４パスプリントモードを用いた、８４ｐｌ／３００ｄｐｉ（ドット／インチ）の流体負荷（定着液を有するインク）におけるカラー彩度のスナップショット（ｓｎａｐｓｈｏｔ）を示すグラフである。図７（ｆ）は、パンフレット紙（Ｌｕｓｔｒｏ  Ｌａｓｅｒ）に関する４パスプリントモードを用いた、８４ｐｌ／３００ｄｐｉ（ドット／インチ）の流体負荷（定着液を有するインク）におけるカラー彩度のスナップショット（ｓｎａｐｓｈｏｔ）を示すグラフである。
【図８】本発明の実施形態による、普通紙および工業的にコーティングされたパンフレット媒体についての、種々のプリントゾーン温度の関数としての投影されたＬ*ａ*ｂ*エリアおよび８−ｐｔ色域体積を示す図である。図８（ａ）は、普通紙（Ｈａｍｍｅｒｍｉｌ  Ｆｏｒｅ  ＤＰ）に関するプリントゾーン温度の関数としての投影されたＬ*ａ*ｂ*エリアを示すグラフである。図８（ｂ）は、パンフレット紙（Ｌｕｓｔｒｏ  Ｌａｓｅｒ）に関するプリントゾーン温度の関数としての投影されたＬ*ａ*ｂ*エリアを示すグラフである。図８（ｃ）は、１パスプリントモードを用いたプリントゾーン温度の関数としての８−ｐｔ色域体積を示すグラフである。
【図９】本発明の実施形態による、種々のプリントゾーン温度における普通紙についての、シアン、マゼンタ、およびイエローインクの顕微鏡写真である。全部で６行４列に亘って並べて提示している。1行目および２行目は、シアンのもの、３行目および４行目はマゼンタのもの、５行目および６行目はイエローのものを各々示す。１−Ｐａｓｓとあるのは１パスプリントモードのものを示し、２−Ｐａｓｓとあるのは２パスプリントモードのものを示す。列方向に表記された２５Ｃ、４５Ｃ、５５Ｃ、８５Ｃとして示したものは、それぞれ、２５℃、４５℃、５５℃、８５℃の温度表記であり、これは他のグラフでも同様にして略記されている。
【図１０】本発明の実施形態による、種々のプリントゾーン温度における光沢媒体についての、シアンインクの顕微鏡写真である。１−Ｐａｓｓとあるのは１パスプリントモードのものを示し、２−Ｐａｓｓとあるのは２パスプリントモードのものを示し、４−Ｐａｓｓとあるのは４パスプリントモードのものを示す。列方向に表記された２５Ｃ、４５Ｃ、５５Ｃ、８５Ｃとして示したものは、それぞれ、２５℃、４５℃、５５℃、８５℃の温度表記である。
【図１１】本発明の実施形態による、種々のプリントゾーン温度における光沢媒体についての、マゼンタインクの顕微鏡写真である。１−Ｐａｓｓとあるのは１パスプリントモードのものを示し、２−Ｐａｓｓとあるのは２パスプリントモードのものを示し、４−Ｐａｓｓとあるのは４パスプリントモードのものを示す。列方向に表記された２５Ｃ、４５Ｃ、５５Ｃ、８５Ｃとして示したものは、それぞれ、２５℃、４５℃、５５℃、８５℃の温度表記である。
【図１２】本発明の実施形態による、種々のプリントゾーン温度における普通紙についての、イエローインクの顕微鏡写真である。１−Ｐａｓｓとあるのは１パスプリントモードのものを示し、２−Ｐａｓｓとあるのは２パスプリントモードのものを示し、４−Ｐａｓｓとあるのは４パスプリントモードのものを示す。列方向に表記された２５Ｃ、４５Ｃ、５５Ｃ、８５Ｃとして示したものは、それぞれ、２５℃、４５℃、５５℃、８５℃の温度表記である。
【図１３】本発明の実施形態による、種々のプリントゾーン温度における、各々、シアン（ａ）、マゼンタ（ｂ）、およびイエロー（ｃ）インクプリント用の画像のＬ*の関数としての、普通紙についてのストライクスルーを示すグラフである。
【図１】
2005219496.tif 000006
【図２】
2005219496.tif 000007
【図３】
2005219496.tif 000008
【図４】
2005219496.tif 000009
【図５】
2005219496.tif 000010
【図６】
2005219496.tif 000011
【図７】
2005219496.tif 000012
【図８】
2005219496.tif 000013
【図１３】
2005219496.tif 000014
【図９】
2005219496.tif 000015
【図１０】
2005219496.tif 000016
【図１１】
2005219496.tif 000017
【図１２】
2005219496.tif 000018